(57)【特許請求の範囲】
【請求項１】
排水口に引っ掛け可能な円環部を備えた円状体と、円状体に摺動可能に挿通される軸部と、軸部の上部に取り付けられている捕集部とを備えたへアキャッチャーであって、軸部が円環部の内側に沿って支持されているとともに、捕集部が複数の桟を備えた櫛部により形成され、複数の桟の先端部が開放端となっていることを特徴とするへアキャッチャー。
【請求項２】
請求項１記載のへアキャッチャーであって、複数の桟の開放端が、軸部の円環部との支持位置と対向する方向にあることを特徴とするへアキャッチャー。
【請求項３】
請求項１または２記載のへアキャッチャーであって、捕集部は軸部に対して回転可能に支持されていることを特徴とするへアキャッチャー。
【請求項４】
請求項１または２記載のへアキャッチャーであって、捕集部は複数の櫛部からなり、複数の櫛部が単一の軸部に取り付けられていることを特徴とするへアキャッチャー。
【請求項５】
請求項４記載のへアキャッチャーであって、複数の櫛部が単一の軸部に、互いに相対的に、回転可能かつ軸方向に摺動可能に支持されていることを特徴とするへアキャッチャー。
【発明の詳細な説明】
【技術分野】
【０００１】
本発明は、洗面ボール等の排水口に用いられるへアキャッチャーに関し、特に、軸部を偏心位置として、捕集部を櫛状にして、髪の毛、繊維屑、その他ゴミ等を確実に捕捉し、しかも取り除き易い構造のへアキャッチャーに関する。
【背景技術】
【０００２】
従来、排水口用のへアキャッチャーにおいて、軸に２つのへアキャッチャー本体を上下に設けたものが公知である。
【０００３】
例えば、図５に示すへアキャッチャー４１も軸４２に２つのへアキャッチャー４３、４４を上下に設けた構成のものであり、へアキャッチャー４１の頭部４５から下方に延びる軸４２の上部には、底の浅いヘアキャッチャー４３取り付けられており、軸４２の下部に錐状に傾斜した別のヘアキャッチャー４４が取り付けられて成る。
【０００４】
また、排水栓において、栓本体の下方で捕集器を保持枠側部で支持したものが公知である（特許文献１参照）。そして、ストレーナーを櫛形状にする、あるいは櫛形状ストレーナーを重ね合わすものも公知である（特許文献２参照）。
【０００５】
従来の排水口用のへアキャッチャーは、次のような問題がある。例えば、図５において、軸４２に上下２つのヘアキャッチャー４３、４４が設けられており、髪の毛、繊維屑、その他のゴミ等をより確実に捕捉する構成となっている。しかし、軸４２に対してヘアキャッチャー４３、４４が固定されているために、排水栓を清掃する際に、ヘアキャッチャーから捕集された髪の毛、繊維屑、その他のゴミ等を取り除きにくいという問題がある。
【０００６】
そこで、本願出願人は、排水口に引っ掛け可能な円環体を備えた円状体と、円状体の中央部に挿通される軸部と、軸部の上部に固定される捕集体とを備えたへアキャッチャーであって、円状体が軸部の下部と捕集体の間を上下方向に移動可能であるヘアキャッチャーを提案した（特願２００７−１１３１８４参照）。
【０００７】
【特許文献１】特開２００７−２５５１２６号公報
【特許文献２】特開２０００−７９３０５号公報
【発明の開示】
【発明が解決しようとする課題】
【０００８】
上記本願出願人による出願に係る発明では、円状体に対して捕集体を軸部に沿って上下方向に移動可能とすることで、髪の毛等を取り除き易く改良した構成であるが、捕集体は上下方向の移動のみであり、髪の毛等を取り除き易くするという点でさらに改良の余地がある。本願発明は、さらに髪の毛等を取り除き易くする構造のへアキャッチャーを実現することを課題とするものである。
【課題を解決するための手段】
【０００９】
本発明は上記課題を解決するために、排水口に引っ掛け可能な円環部を備えた円状体と、円状体に摺動可能に挿通される軸部と、軸部の上部に取り付けられている捕集部とを備えたへアキャッチャーであって、軸部が円環部の内側に沿って支持されているとともに、捕集部が複数の桟を備えた櫛部により形成され、複数の桟の先端部が開放端となっていることを特徴とするへアキャッチャーを提供する。
【００１０】
複数の桟の開放端が、軸部の円環部との支持位置と対向する方向にある構成としてもよい。
【００１１】
捕集部は軸部に対して回転可能に支持されている構成としてもよい。
【００１２】
捕集部は複数の櫛部からなり、複数の櫛部が単一の軸部に取り付けられている構成としてもよい。
【００１３】
複数の櫛部が単一の軸部に、互いに相対的に、回転可能かつ軸方向に摺動可能に支持されている構成としてもよい。
【発明の効果】
【００１４】
本発明のへアキャッチャーは、排水口に引っ掛け可能な円環部を備えた円状体と、円状体に摺動可能に挿通される軸部と、軸部の上部に取り付けられている捕集部とを備えており、軸部が円環部の内側に沿って支持されているとともに、捕集部が複数の桟を備えた櫛部により形成され、複数の桟の先端部が開放端となっているから、捕集部で捕捉した髪の毛、繊維屑、その他ゴミ等を取り除き易いという効果が生じる。
【発明を実施するための最良の形態】
【００１５】
本発明に係るへアキャッチャーを実施するための最良の形態を実施例に基づき図面を参照して、以下説明する。
【実施例１】
【００１６】
本発明に係るへアキャッチャーの実施例１を、図１及び図２において説明する。実施例１のへアキャッチャー１は、図１（ａ）に示すように、円状体２と捕集体３とを備えている。
【００１７】
円状体２は、本体である円筒部４と、円環部５と、捕集受け部６とを備えている。円環部５は、円筒部４の上端に円筒部４から径方向外側に張り出すフランジとして形成されている。円状体２を洗面ボール等の排水口に挿入して、円環部５を排水口の上縁に掛けることで、円状体２を排水口に装着できる。
【００１８】
捕集受け部６は、円筒部４の直径方向に伸びる支持杆７と、支持杆７の上面に水平に固定された１又は複数（本実施例では２つ）の捕集リング８とから成る。支持杆７の一端部、即ち、円筒部４の内面近くで内側に沿って、円筒部４の中心から離れた偏心位置にある端部には、ボス部９が形成され、このボス部９に軸孔１０が形成されている。なお、円状体２は、金属材（例．鋼、アルミ等）又は樹脂材などで形成される。
【００１９】
捕集体３は、図１（ａ）に示すように、軸部１１と、軸部１１の上部に設けられた捕集部１２と、軸部１１の上方であって捕集部１２の基端部１３上に固定された摘み部１４とを備えている。軸部１１は、円筒部４の中心から偏心された軸孔１０に回転可能、且つ摺動可能に挿通されるように形成されている。
【００２０】
捕集部１２は、図１（ａ）に示すように、櫛部１５から成る。この櫛部１５は、円筒部４内に挿入可能なように円形状の外形輪郭を有し、複数の桟１６が互いに平行に並んだ状態で形成されており、その先端部１７は開放端となっている。櫛部１５の基端部１３が軸部１１の上部に取り付けられている。即ち、円形状の外形輪郭の櫛部１５の中心から偏心位置において、軸部１１に取り付けられている。
【００２１】
なお、本実施例１では、捕集部１２は、軸部１１の上部に固定されている構成とし、摘み部１４の杆部１８と軸部１１を別体で形成したが、一体で形成してもよい。軸部１１の下端にはストッパ１９をねじ等で着脱自在に装着しているが、ストッパ１９を設けない構成としてもよい。
【００２２】
また、捕集部１２は、軸部１１に対して上下方向に移動はできないが、水平方向に回転可能な構成としてもよい。回転可能な構成とするには、例えば、軸部１１に環状の凹溝を形成し、そこに捕集部１２の形成された孔の内縁を回転可能に嵌合する構成とすればよい。
【００２３】
へアキャッチャー１の組み立てに際しては、図１（ｂ）に示すように、円状体２の軸孔１０に、捕集体３の軸部１１を上方から挿入して捕集体３を下方に移動させる。すると、捕集部１２の桟１６は、捕集リング８に当接して、図１（ｃ）に示すように、捕集リング８上に櫛部１５が載置された状態となって組み立てられる。この状態では、櫛部１５は、その互いに平行な複数の桟１６が、偏心した軸部１１から一方向に伸び、しかも先端部１７は、開放端となっている。
【００２４】
（作用）
上記構成から成るへアキャッチャー１の作用を説明する。へアキャッチャー１の使用に際しては、へアキャッチャー１を図１（ｃ）の状態にして、円状体２を洗面ボール等の排水口に挿入して、円環部５を排水口の上縁に掛けることで、へアキャッチャー１を排水口に装着する。
【００２５】
この状態では、捕集リング８上で櫛部１５の互いに平行な複数の桟１６が、円状体２内で偏心した軸部１１から一方向に伸びるように載置された状態となっており、これにより、髪の毛、繊維屑、ゴミ屑等を捕捉することが可能である。
【００２６】
へアキャッチャー１に捕捉された髪の毛、繊維屑、ゴミ屑等を取り除く場合には、図２（ａ）に示すように、摘み部１４を把持して捕集体３を上方に持ち上げる。そして、摘み部１４を把持しながら軸孔１０を中心に軸部１１を回転することで、図２（ｂ）に示すように、櫛部１５を円状体２の上方位置から外側の位置に水平に回す。このような状態とすれば、捕捉された髪の毛、繊維屑、ゴミ屑等を取り除き易くなる。
【００２７】
軸部１１に対して櫛部１５を水平方向に回転可能とする構造では、軸部１１を中心にして、櫛部１５を円状体２の上方位置から外側の位置に水平に回転し、円状体２の上方からはずれた位置にすれば、捕捉された髪の毛、繊維屑、ゴミ屑等を取り除き易くなる。
【００２８】
なお、へアキャッチャー１全体を排水口から持ち上げて取り外し、ストッパ１９をはずして（ストッパ１９を設けていない場合ははずすことは不要）から、捕集体３を上方に持ち上げて、図２（ｃ）に示すように、軸孔１０から軸部１１を引き抜く。そして、捕集体３を円状体２から取り外した状態で、髪の毛、繊維屑、ゴミ屑等を取り除くようにしてもよい。
【実施例２】
【００２９】
本発明に係るへアキャッチャーの実施例２を、図３及び図４において説明する。実施例２のへアキャッチャー２１は、図３（ａ）に示すように、２つの櫛部３３、３５を備えていることを特徴としている。
【００３０】
円状体２２は、円筒部２４と、円環部２５と、捕集受け部２６とを備えている。円環部２５は、円筒部２４の上端に円筒部２４から径方向外側にフランジとして張り出すように形成されている。円状体２２を洗面ボール等の排水口に挿入して、円環部２５を排水口の上縁に掛けることで、円状体２２を排水口に装着できる。
【００３１】
捕集受け部２６は、円筒部２４の下端から中心に向けて張り出した環状フランジであり、その一部には切り欠き２７が形成されている。この切り欠き２７は、捕集体２３の軸部２８及びストッパ２９を挿通するために形成されている。円状体２２は、実施例１と同様に、金属材（例．鋼、アルミ等）又は樹脂材などで形成される。
【００３２】
捕集体２３は、図３（ａ）に示すように、軸部２８と、軸部２８の上部に設けられた第１の捕集部３０と、軸部２８の下部に設けられた第２の捕集部３１と、軸部２８の下端に設けられたストッパ２９と、軸部２８の上方であって第１の捕集部３０の上部に固定された摘み部３２とを備えている。
【００３３】
軸部２８及びストッパ２９は、円状体２２の偏心された切り欠き２７に挿通されるように形成されている。ストッパ２９は、軸部２８の下端に螺着することで、着脱可能な構造とする。
【００３４】
第１の捕集部３０は、図３（ａ）に示すように、実施例１と同様の円形状の外形輪郭の櫛部３３から成り、この櫛部３３は、その基端部３４において、円形状の櫛部３３の中心から偏心した位置で円環部２５の内側に沿って、軸部２８に取り付けられている。
【００３５】
実施例２では、第１の捕集部３０は、水平方向に回転可能な構成としてもよい。
【００３６】
第２の捕集部３１は、図３（ａ）に示すように、実施例１と同様の円形状の外形輪郭の櫛部３５から成り、この櫛部３５は、その側端部３６に軸孔３７が形成されている。この軸孔３７に軸部２８が挿通されており、これにより、櫛部３５は、円形状の櫛部３５の中心から偏心した位置で円環部２５の内側に沿って、軸部２８に対して水平方向に回転可能、且つ上下方向に摺動可能に取り付けられている。
【００３７】
従って、第２の捕集部３１は、第１の捕集部３０に対して、相対的に上下方向に摺動可能、且つ水平方向に回転可能な構成である。また、第２の捕集部３１は、ストッパ２９で下方に抜け止めされている。
【００３８】
へアキャッチャー２１の組み立てに際しては、円状体２２の切り欠き２７を通して、捕集体２３の軸部２８及びストッパ２９を上方から挿入し、第２の捕集部３１を捕集受け部２６上に載置し当接した状態でさらに軸部２８を下降させ、図３（ｂ）に示すように、第１の捕集部３０が第２の捕集部３１上に載置して当接するようにする。
【００３９】
この状態では、第１の捕集部３０の櫛部３３の桟３８の方向と、第２の捕集部３１の櫛部３５の桟３９の方向が格子状に交差するようになる。ところで、軸部２８へ第１の捕集部３０の基端部３４（櫛部の桟の開放端と反対側の部分）が取り付けられており、一方、軸部２８が第２の捕集部３１の軸孔３７に挿通するようになっている。軸部２８への第１の捕集部３０の取り付け位置と、軸部２８が第２の捕集部３１を挿通する位置の相対的な位置関係によって、第１の捕集部３０の櫛部３３の桟３８と第２の捕集部３１の櫛部３５の桟３９の互いに交差する角度が決まる。
【００４０】
（作用）
上記構成から成るへアキャッチャー２１の作用を説明する。へアキャッチャー２１の使用に際しては、へアキャッチャー２１を図３（ｂ）の状態にして、円筒部２４を洗面ボール等の排水口に挿入して、円環部２５を排水口の上縁に掛けることで、へアキャッチャー２１を排水口に装着する。
【００４１】
この状態では、第１の捕集部３０の櫛部３３と第２の捕集部３１の櫛部３５は、投影面上では、外輪郭が重なっており、それぞれ円状体２２に対して偏心した位置で軸部２８に取り付けられており、しかも第１の捕集部３０の櫛部３３の桟３８と第２の捕集部３１の櫛部３５の桟３９は、互いに交差する状態となっているから、髪の毛、繊維屑、ゴミ屑等を捕捉することが可能である。
【００４２】
へアキャッチャー２１に捕捉された髪の毛、繊維屑、ゴミ屑等を取り除く場合には、摘み３２を把持して捕集体２３を上方に持ち上げ、図３（ａ）に示すように、円状体２２から上方に取り外す。すると、第１の捕集部３０に対して第２の捕集部３１は軸部２８を摺動し下降しストッパ２９で停止した状態となる。
【００４３】
この状態では、第１の捕集部３０に対して第２の捕集部３１は、間隔をおいて下方に位置するから、この間隔の間に手を入れて捕捉された髪の毛、繊維屑、ゴミ屑等を取り除き易くなる。
【００４４】
また、図４に示すように、第２の捕集部３１を軸部２８を中心にして第１の捕集部３０に対して水平面内で相対的に回転することで、投影面上では重なっていた第１の捕集部３０と第２の捕集部３１を、ずらすことができるから、この点でも捕捉された髪の毛、繊維屑、ゴミ屑等を取り除き易くなる。
【００４５】
（実施例２の変形例）
上記第２の実施例では、第１の捕集部３０を軸部２８に対して上下方向に移動しないような構造としているが、第１の捕集部３０も第２の捕集部３１と同様に、軸部２８に対して、摺動可能且つ水平に回転可能な変形例の構成としてもよい。
【００４６】
この変形例の場合は、捕捉された髪の毛、繊維屑、ゴミ屑等を取り除く際には、第１の捕集部３０と第２の捕集部３１を支えながら両者の軸方向の間隔を保持し、さらに相対的に両者を水平方向（投影面上での水平方向）にずらせばよい。
【００４７】
以上、本発明に係るへアキャッチャーを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４８】
本発明に係るへアキャッチャーは上記のような構成であるから、洗面ボール等の排水口だけでなく、浴室、浴槽、流し等の排水口にも適用可能である。
【図面の簡単な説明】
【００４９】
【図１】本発明に係るへアキャッチャーの実施例１を説明する図であり、（ａ）はへアキャッチャーを円状体と捕集体に分離した状態の斜視図を示し、（ｂ）は組み合わせた状態を示す斜視図である。
【図２】（ａ）〜（ｃ）は実施例１の作用を説明する図である。
【図３】本発明に係る引き出しの実施例２を説明する図であり、（ａ）はへアキャッチャーを円状体と捕集体に分離した状態の斜視図を示し、（ｂ）は組み合わせた状態を示す斜視図である。
【図４】実施例２の作用を説明する図である。
【図５】へアキャッチャーの従来例を示す図である。
【符号の説明】
【００５０】
（実施例１）
１  へアキャッチャー                 
２  円状体                           
３  捕集体                           
４  円筒部                           
５  円環部             
６  捕集受け部                       
７  支持杆                           
８  捕集リング                       
９  ボス部                           
１０  軸孔                           
１１  軸部                           
１２  捕集部                         
１３  捕集部の基端部                 
１４  摘み部                         
１５  櫛部                           
１６  桟                             
１５  櫛部                           
１７  先端部                         
１８  摘み部の杆部                   
１９  ストッパ                       
（実施例２）
２１  へアキャッチャー       
２２  円状体                 
２３  捕集体                 
２４  円筒部                 
２５  円環部   
２６  捕集受け部             
２７  捕集受け部の切り欠き               
２８  軸部                   
２９  ストッパ               
３０  第１の捕集部           
３１  第２の捕集部           
３２  摘み部                 
３３  第１の捕集部の櫛部     
３４  基端部                 
３５  第２の捕集部の櫛部       
３６  第２の捕集部の側端部
３７  第１の捕集部の櫛部の軸孔               
３８  第１の捕集部の桟                     
３９  第２の捕集部の桟 
（従来例）
４１  へアキャッチャー
４２  従来例のへアキャッチャーの軸
４３、４４  従来例のへアキャッチャー
４５  従来例のへアキャッチャーの頭部
【図１】
0005217597.tif 000002
【図２】
0005217597.tif 000003
【図３】
0005217597.tif 000004
【図４】
0005217597.tif 000005
【図５】
0005217597.tif 000006